(57)【要約】      （修正有）【課題】マンション等の出入口に設けられた開き戸や折れ戸を引き戸に容易にリフォームでき、特に車椅子の使用者に好適でかつ防火戸にもなる引き戸装置を提供する。【解決手段】出入口を開閉自在に塞ぐ引き戸の左右方向の移動方向に沿って延びるように設けられたスライド用レールと揺れ防止用ガイドレールとが並列に配設されている、出入口の上部の壁面に固設されているレール取付板部と、レール取付板部の室外側にスライド用レールに移動自在に吊設された吊設滑動部と、吊設滑動部の室内側に吊設された吊り戸体である引き戸とからなる。引き戸出入駆動部の駆動により引き戸を前後方向に移動させる手段と、ガイド棒状体と貫通穴部とが引き戸が前後方向に移動するときのガイドの手段になるとともに引き戸を吊設する手段になる。【選択図】図１
0003176998.tif 000002
【実用新案登録請求の範囲】
【請求項１】
出入口を開閉自在に塞ぐ引き戸の左右方向の移動方向に沿って延びるように設けられたスライド用レールと揺れ防止用ガイドレールとが並列に配設されている、出入口の上部の壁面に固設されているレール取付板部と、前記レール取付板部の室外側に前記スライド用レールに移動自在に吊設された吊設滑動部と、前記吊設滑動部の室内側に吊設された吊り戸体である引き戸と、からなる引き戸装置であって、前記吊設滑動部の引き戸の左右端部の上方に相当する位置にそれぞれ配設した滑車と前記レール取付板部に設けたスライド用レールとが、滑車がスライド用レール上を回動しながら左右方向に移動するように連係し、前記吊設滑動部の引き戸の左右端部の上方に相当する位置にそれぞれ配設した揺れ防止用規制具と前記レール取付板部に設けた揺れ防止用ガイドレールとが、揺れ防止用規制具が揺れ防止用ガイドレールに嵌入又は外嵌されて左右方向に移動するように連係し、前記吊設滑動部の下部の中央部に配設した、引き戸を前後方向で移動させる引き戸出入駆動部と、前記引き戸の上端部の中央部に配設した、前記引き戸出入駆動部により従動する従動体とが、引き戸出入駆動部の駆動により引き戸を前後方向に移動させる手段になり、前記吊設滑動部の下部の左右端部にそれぞれ配設した、引き戸出入時の前後方向のガイドとなるガイド棒状体と、前記引き戸の上端部の左右端部にそれぞれ配設した、前記ガイド棒状体を挿入させる貫通穴部とが、引き戸出入駆動部の駆動により引き戸が前後方向に移動するときのガイドの手段になるとともに、引き戸を吊設する手段になることを特徴とする引き戸装置。
【請求項２】
前記引き戸出入駆動部と前記従動体とが、モーター駆動又はシリンダー駆動によるラックとピニオンとの組み合わせ、又はシリンダー駆動によるスライド従動体の組み合わせであることを特徴とする請求項１に記載の引き戸装置。
【請求項３】
出入口の戸尻側の壁面に引き戸の左右方向の移動方向に沿って設けられた、断面四角形状で内部が中空で一面の一部に開放部を有する長尺物であるあおり防止用レールに、前記引き戸の下方の室内側で戸尻側に設けられた断面Ｔ字型状の突起物を引き戸を開くときに前記あおり防止用レールの壁面側に挿入させて、又は、出入口の戸尻側の壁面に引き戸の左右方向の移動方向に沿って設けられた断面Ｔ字型状の棒状体のあおり防止用レールに、前記引き戸の下方の室内側で戸尻側に設けられた、断面四角形状で内部が中空で一面の一部に開放部を有する突起物を引き戸を開くときに前記あおり防止用レールの壁面側に外嵌させて、引き戸のあおり防止をすることを特徴とする請求項１又は２に記載の引き戸装置。
【請求項４】
引き戸自閉式装置である引き戸クローザーを吊設滑動部の引き戸の戸尻側の上方に相当する位置に配設し、前記引き戸クローザーに引き戻されるワイヤーの先端部取付部を、出入口上部の枠体又は出入口上部のレール取付板部に配設したことを特徴とする請求項１乃至３のいずれかに記載の引き戸装置。
【考案の詳細な説明】
【技術分野】
【０００１】
本考案は、マンション等の各家の玄関や各部屋の出入口に設けられた開き戸や折れ戸を引き戸に容易にリフォームでき、特に車椅子の使用者に好適でかつ防火戸にもなる引き戸装置に関するものである。
【背景技術】
【０００２】
車椅子の使用者に好適な引き戸に関しては、外扉と、外扉に収納される内扉と、外扉と内扉が収納される収納壁からなり、外扉の移行に連動して内扉が外扉の２倍の速度で移行する引き戸において、扉の取手を外扉の戸先側の表裏両側に設けた引き戸の技術が開示されている（特許文献１参照）。
【先行技術文献】
【特許文献】
【０００３】
【特許文献１】特開２００４−２６３４８７号公報
【考案の概要】
【考案が解決しようとする課題】
【０００４】
しかし、特許文献１に記載の発明は、マンション等の各家の玄関や各部屋の出入口に設けられた開き戸や折れ戸を、車椅子使用者に好適な特許文献１に記載の引き戸にリフォームするときには開き戸や折れ戸の周囲の既存の建物の玄関や出入口周囲の壁等の構造物を大改造しなければ設置できないという問題があった。
【０００５】
また、引き戸はマンション等の各家の玄関や各部屋の出入口に設けられた開き戸やシャッターのように開口部に嵌め込まれないので、リフォーム前は開き戸やシャッターが防火扉や防火シャッターとして防火構造であったものが、引き戸にリフォームすることによって防火構造でなくなるという問題があった。
【０００６】
したがって、本考案の目的は、マンション等の各家の玄関や各部屋の出入口に設けられた開き戸や折れ戸を引き戸に容易にリフォームでき、特に車椅子の使用者に好適でかつ防火戸にもなる引き戸装置を提供することである。
【課題を解決するための手段】
【０００７】
本考案において、「引き戸の左右方向」とは引き戸を引いて開閉する方向であって、壁面に対して平行に移動する方向を意味し、「引き戸の前後方向」とは壁面に対して直角方向に移動する方向を意味する。
【０００８】
「考案が解決しようとする課題」に記載した課題を解決するために、請求項１に記載の引き戸装置１は、出入口２０を開閉自在に塞ぐ引き戸４の左右方向の移動方向に沿って延びるように設けられたスライド用レール５と揺れ防止用ガイドレール６とが並列に配設されている、出入口２０の上部の壁面に固設されているレール取付板部２と、前記レール取付板部２の室外側に前記スライド用レール５に移動自在に吊設された吊設滑動部３と、前記吊設滑動部３の室内側に吊設された吊り戸体である引き戸４と、からなる引き戸装置１であって、前記吊設滑動部３の引き戸４の左右端部の上方に相当する位置にそれぞれ配設した滑車７と前記レール取付板部２に設けたスライド用レール５とが、滑車７がスライド用レール５上を回動しながら左右方向に移動するように連係し、前記吊設滑動部３の引き戸４の左右端部の上方に相当する位置にそれぞれ配設した揺れ防止用規制具８と前記レール取付板部２に設けた揺れ防止用ガイドレール６とが、揺れ防止用規制具８が揺れ防止用ガイドレール６に嵌入又は外嵌されて左右方向に移動するように連係し、前記吊設滑動部３の下部の中央部に配設した、引き戸４を前後方向で移動させる引き戸出入駆動部９と、前記引き戸４の上端部の中央部に配設した、前記引き戸出入駆動部９により従動する従動体１０とが、引き戸出入駆動部９の駆動により引き戸４を前後方向に移動させる手段になり、前記吊設滑動部３の下部の左右端部にそれぞれ配設した、引き戸４出入時の前後方向のガイドとなるガイド棒状体１１と、前記引き戸４の上端部の左右端部にそれぞれ配設した、前記ガイド棒状体１１を挿入させる貫通穴部１２とが、引き戸出入駆動部９の駆動により引き戸４が前後方向に移動するときのガイドの手段になるとともに、引き戸４を吊設する手段になることを特徴とする。
【０００９】
請求項２に記載の引き戸装置１は、請求項１において、前記引き戸出入駆動部９と前記従動体１０とが、モーター３１駆動又はシリンダー駆動によるラック３２とピニオン３３との組み合わせ、又はシリンダー駆動によるスライド従動体の組み合わせであることを特徴とする。
【００１０】
請求項３に記載の引き戸装置１は、請求項１又は２において、出入口２０の戸尻側の壁面に引き戸４の左右方向の移動方向に沿って設けられた、断面四角形状で内部が中空で一面の一部に開放部を有する長尺物であるあおり防止用レール１３に、前記引き戸４の下方の室内側で戸尻側に設けられた断面Ｔ字型状の突起物１４を引き戸４を開くときに前記あおり防止用レール１３に挿入させて、又は、出入口２０の戸尻側の壁面に引き戸４の左右方向の移動方向に沿って設けられた断面Ｔ字型状の棒状体のあおり防止用レール１３に、前記引き戸４の下方の室内側で戸尻側に設けられた、断面四角形状で内部が中空で一面の一部に開放部を有する突起物１４を引き戸４を開くときに前記あおり防止用レール１３に外嵌させて、引き戸４のあおり防止をすることを特徴とする。
【００１１】
請求項４に記載の引き戸装置１は、請求項１乃至３のいずれかにおいて、引き戸自閉式装置である引き戸クローザー１５を吊設滑動部３の引き戸４の戸尻側の上方に相当する位置に配設し、前記引き戸クローザー１５に引き戻されるワイヤー３６の先端部取付部３４を、出入口２０上部の枠体又は出入口２０上部のレール取付板部２に配設したことを特徴とする。
【考案の効果】
【００１２】
請求項１に記載の考案は、マンション等の各家の玄関や各部屋の出入口２０に設けられた開き戸や折れ戸を、引き戸４にリフォームするときに開き戸や折れ戸の周囲の既存の建物の玄関や出入口２０周囲の壁等の構造物をほぼそのままでの状態を保持したまま設置できるという効果を奏する。
【００１３】
また、車椅子使用者にとって開き戸や折れ戸は戸の開閉操作が不便であり、自閉式の開き戸であれば玄関や出入口２０を通過するときに戸が閉じるのを手で止めながら通過しなければならなかったが、引き戸４のリフォームをすることによって、戸の開閉が容易になり玄関や出入口２０の通過が容易になるという効果を奏する。
【００１４】
さらに、開き戸であればマンション等の各家の玄関や各部屋の出入口２０の防火扉として防火構造ができていたものが、通常の引き戸４であれば玄関や出入口２０の隙間が多く防火構造にすることができなかったが、本考案の引き戸出入駆動部９を設置したことによって引き戸４でありながら防火構造にすることができるという効果を奏する。
【００１５】
請求項２に記載の考案は、請求項１と同じ効果を奏する。
【００１６】
請求項３に記載の考案は、請求項１又は２と同じ効果を奏するとともに、引き戸４を左右方向に移動させて開閉するときに風で引き戸４があおられるのを防止するという効果を奏する。
【００１７】
請求項４に記載の考案は、請求項１乃至３のいずれかと同じ効果を奏するとともに、引き戸４を戸尻側に開いたときに引き戸クローザー１５から繰り出されて伸長されたワイヤー３６が、引き戸クローザー１５内に巻き戻されることによって、引き戸４をゆっくりと自動で閉めることができるという効果を奏する。
【図面の簡単な説明】
【００１８】
【図１】本考案の引き戸装置のカバーを外した状態の正面概要説明図である。
【図２】本考案の引き戸装置のカバーを外した状態の右側面概要説明図である。
【図３】本考案の引き戸装置のカバーを装着した状態の正面概要説明図である。
【図４】本考案の引き戸装置のカバーを装着した状態の右側面概要説明図である。
【図５】レール取付板部と吊設滑動部との連係状態を示す右側面概要説明図である。
【図６】揺れ防止用規制具が揺れ防止用ガイドレールに外嵌されている状態を示す右側面概要説明図である。
【図７】引き戸出入駆動部と従動体との連係状態を示す右側面概要説明図である。
【図８】ガイド棒状体と貫通穴部との連係状態を示す右側面概要説明図である。
【図９】引き戸を開状態にしたときの引き戸装置のカバーを外した状態の正面概要説明図である。
【図１０】図９における断面Ａ−Ａにおけるあおり防止用レールと突起物との連係状態を示す断面概要図である。
【考案を実施するための形態】
【００１９】
図１乃至図１０で説明する。図１、図２及び図９については、本考案の構成要素を説明するためにカバー３０を記載せず、図１及び図９については吊設滑動部３の平板状部を記載していない。本考案である引き戸装置１は、出入口２０を開閉自在に塞ぐ引き戸４の左右方向の移動方向に沿って延びるように設けられたスライド用レール５と揺れ防止用ガイドレール６とが並列に配設されている、出入口２０の上部の壁面に固設されているレール取付板部２と、前記レール取付板部２の室外側に前記スライド用レール５に移動自在に吊設された吊設滑動部３と、前記吊設滑動部３の室内側に吊設された吊り戸体である引き戸４と、からなる引き戸装置１であって、前記吊設滑動部３の引き戸４の左右端部の上方に相当する位置にそれぞれ配設した滑車７と前記レール取付板部２に設けたスライド用レール５とが、滑車７がスライド用レール５上を回動しながら左右方向に移動するように連係し、前記吊設滑動部３の引き戸４の左右端部の上方に相当する位置にそれぞれ配設した揺れ防止用規制具８と前記レール取付板部２に設けた揺れ防止用ガイドレール６とが、揺れ防止用規制具８が揺れ防止用ガイドレール６に嵌入又は外嵌されて左右方向に移動するように連係し、前記吊設滑動部３の下部の中央部に配設した、引き戸４を前後方向で移動させる引き戸出入駆動部９と、前記引き戸４の上端部の中央部に配設した、前記引き戸出入駆動部９により従動する従動体１０とが、引き戸出入駆動部９の駆動により引き戸４を前後方向に移動させる手段になり、前記吊設滑動部３の下部の左右端部にそれぞれ配設した、引き戸４出入時の前後方向のガイドとなるガイド棒状体１１と、前記引き戸４の上端部の左右端部にそれぞれ配設した、前記ガイド棒状体１１を挿入させる貫通穴部１２とが、引き戸出入駆動部９の駆動により引き戸４が前後方向に移動するときのガイドの手段になるとともに、引き戸４を吊設する手段になる引き戸装置１である。
【００２０】
以下に、本考案である引き戸装置１を構成する部品ごとに説明する。
【００２１】
まず、平板状のレール取付板部２は、玄関や出入口２０の上部、言い換えると引き戸４の上部に位置する壁面であって、左右方向の取付位置が引き戸４の戸先側縦枠２１と戸尻側縦枠２２の範囲を超えるように配設される。そして、前記平板状のレール取付板部２には、スライド用レール５及び揺れ防止用ガイドレール６が水平方向に並行させた状態で固設されている。
【００２２】
前記スライド用レール５は、断面形状が円形、四角形、五角形、六角形又は八角形の棒状体であればよい。
【００２３】
揺れ防止用ガイドレール６は、断面が図５に示すような凹型形状、又は図６に示すような凸型形状をしている長尺物ガイドレールからなる。
【００２４】
次に、引き戸４は吊り戸の形態を有する。引き戸４の大きさは、玄関や出入口２０の開口部の大きさと略同一であるので、引き戸出入駆動部９の作動によって前記開口部に開口部の枠体との隙を生じさせないように嵌入させることができるので、火災時に火炎の貫通を防止でき火災被害の防止ができるという防火戸として使用することができる。
【００２５】
引き戸４には、上端部の中央部に引き戸出入駆動部９により従動する従動体１０と、上端部の左右端部にそれぞれ配設した前記吊設滑動部３に突設されたガイド棒状体１１を挿入させる貫通穴部１２が設けられている。前記従動体１０と前記引き戸出入駆動部９との組み合わせによる作動によって、玄関や出入口２０の開口部の枠体内に引き戸４を嵌入させたり、前記枠体内から引き戸４を引き出すことができる。また、前記貫通穴部１２と前記ガイド棒状体１１の組み合わせ手段が、引き戸４を吊設するとともに、引き戸４を玄関や出入口２０の開口部の枠体内に嵌入させるときや前記枠体内から引き出すときの移動の軌跡を定めるガイドとなる。
【００２６】
引き戸４には、戸先側で車椅子使用者が座った状態で手が楽に届いて容易に操作できる位置に手で引き戸４を開けるときの取手４０が設けられ、引き戸４は人手によって開けられる。引き戸４を閉じるのは、引き戸自閉式装置である引き戸クローザー１５を吊設滑動部３の引き戸４の戸尻側の上方に相当する位置に配設し、前記引き戸クローザー１５に引き戻されるワイヤー３６の先端部取付部３４を、出入口２０上部の枠体又は出入口２０上部のレール取付板部２に配設していることから、自閉式装置である引き戸クローザー１５によってゆっくりと閉じられる。
【００２７】
また、引き戸４の材質は、木材やアルミニウムなどが考えられいずれでもよいが、引き戸４の外周面は厚さ１．６ｍｍ程度の鉄板を貼り付けていれば防火戸としての機能を果たさせることができる。
【００２８】
また、引き戸４には、図１０に示すように、引き戸４の下方の室内側で戸尻側に断面Ｔ字型状の突起物１４が設けられ、前記突起物１４を出入口２０の戸尻側の壁面に引き戸４の左右方向の移動方向に沿って設けられた、断面四角形状で内部が中空で一面の一部に開放部を有する長尺物であるあおり防止用レール１３に挿入させて、又は、引き戸４の下方の室内側で戸尻側に断面四角形状で内部が中空で一面の一部に開放部を有する突起物１４が設けられ、前記突起物１４を出入口２０の戸尻側の壁面に引き戸４の左右方向の移動方向に沿って設けられた断面Ｔ字型状のあおり防止用レール１３に外嵌させて、引き戸４を左右方向に移動させるときに風で引き戸４があおられるのを防止することができる。あおり防止用レール１３の戸先側を壁面からの距離を他の部位よりも狭くなるように斜めにすれば、前記突起物１４があおり防止用レール１３内に入りやすくなる。
【００２９】
次に、レール取付板部２に設けられたスライド用レール５及び揺れ防止用ガイドレール６と前記引き戸４とを連係させるように、前記レール取付板部２と前記引き戸４との間に設置された、上下方向の長さが前記レール取付板部２の略上端部から前記引き戸４の上部までの長さを有し、左右方向の長さが略引き戸４の左右方向の長さを有する吊設滑動部３について説明する。
【００３０】
吊設滑動部３には、前記レール取付板部２に設けられたスライド用レール５上を回動する滑車７を、前記吊設滑動部３の前記引き戸４の左右端部の上方に相当する位置にそれぞれ計２箇所配設し、前記レール取付板部２に設けられた揺れ防止用ガイドレール６に沿って滑動する揺れ防止用規制具８を、前記吊設滑動部３の前記引き戸４の左右端部の上方に相当する位置にそれぞれ計２箇所配設し、引き戸自閉式装置である引き戸クローザー１５を前記吊設滑動部３の前記引き戸４の戸尻側の上方に相当する位置に配設し、及び前記引き戸４を前記玄関や出入口２０の開口部の枠体内に出入させることができる引き戸出入駆動部９を前記吊設滑動部３の下部の中央部に配設している。
【００３１】
そして、使用者が前記引き戸４の戸先側に設けられた取手４０で引き戸４を開けることができ、その開ける過程において、前記スライド用レール５上に前記滑車７を回動させることになり、前記吊設滑動部３を介して引き戸４を一定の左右方向に開閉させることができる。取手４０は、引き戸４の表裏にそれぞれ設けられており、室内側の取手４０は壁面との隙が小であるため彫り込み型でなければならないが、室外側の取手４０は突設型でも彫り込み型でもよい。
【００３２】
次に、固設されているレール取付板部２に設けられた揺れ防止用ガイドレール６は、移動する吊設滑動部３に設けられた揺れ防止用規制具８とは、図５又は図６に示すように互いに凹凸形状の組み合わせになっている。この凹凸形状の組み合わせによって、引き戸４は吊設滑動部３を介してスライド方向に対する前後方向の横揺れ防止を図ることができる。
【００３３】
引き戸自閉式装置は引き戸クローザー１５であり、引き戸クローザー１５は、その内部にバネによる引き戻し作用が働いているワイヤー３６が内蔵されており、前記ワイヤー３６が伸長された後に引き戸４から手を放すと、バネの力によりワイヤー３６がゆっくりと引き戸クローザー１５内に引き戻される構造を有している。
【００３４】
前記吊設滑動部３の引き戸４の戸尻側の上方に相当する位置に引き戸クローザー１５を配設し、その引き戸クローザー１５から出ているワイヤー３６の先端部取付部３４を出入口２０上部の枠体又は出入口２０上部のレール取付板部２に配設する。そして、引き戸４を開くとワイヤー３６の先端部取付部３４は出入口２０上部の枠体又は出入口２０上部のレール取付板部２に固設されており、一方引き戸クローザー１５は引き戸４に連結された吊設滑動部３に固設されているので、図９に示すように、引き戸４を開くに連れてワイヤー３６が長く伸長されていき、その後引き戸４から手を放すとワイヤー３６の引き戻しによって引き戸４がゆっくりと自動的に閉じられる。なお、自閉時の速度はワイヤー３６の引き戻し力の設定を変えることによって調整することができる。
【００３５】
次に、吊設滑動部３の下部の中央部に配設する引き戸出入駆動部９について説明する。前記引き戸出入駆動部９は、モーター３１駆動によりラック３２を回転させ、又はシリンダー駆動によりシリンダー軸に延設された棒状体（図示なし）を直動させる。そして、前記ラック３２と螺合するピニオン３３を引き戸４の上端部の中央部に固設させて、又は、前記棒状体を引き戸４の上端部の中央部に固設させている。
【００３６】
前記モーター３１を駆動させるスイッチ３５又はシリンダーを駆動させるスイッチ（図示なし）は、引き戸４の戸先側で前記取手４０の近傍であって引き戸４の表裏２箇所に配設する。そして、停電時においても一定時間電力を供給し続けることができるように無停電電源装置４１を前記モーター３１起動回路に接続させておく。これにより、停電になったときに即作動不能になることはなくなるので、停電時に引き戸４が開けられなくて室内に閉じこまれたり、室外から室内に入れなかったりすることの懸念は解消する。
【００３７】
モーター３１を駆動させるための電源については、室内側の電源からの配線をレール取付板部２を経由させて、室外側の吊設滑動部３に設置した引き戸出入駆動部９のモーター３１に配線させて確保する。このときに吊設滑動部３は左右に移動するので、配線はコイル状に巻かれた状態にし、吊設滑動部３が移動しても配線にこすれや切れを生じにくくしている。
【００３８】
次に、吊設滑動部３の下部の左右端部にそれぞれ配設した、引き戸４出入時の前後方向のガイドとなるガイド棒状体１１について説明する。前記ガイド棒状体１１は、例えば円筒形状を有しており、引き戸４の上端部の左右端部にそれぞれ配設した貫通穴部１２にガイド棒状体１１を挿入させる。ガイド棒状体１１を引き戸出入駆動部９の駆動により前記貫通穴部１２に挿入させると、引き戸４が前後方向に移動するときのガイドの働きを有するとともに、引き戸４を吊設する働きを有する。
【００３９】
レール取付板部２と吊設滑動部３とはカバー３０により覆われて外観の美観を確保するようにされる。
【００４０】
次に、開き戸からの本考案の引き戸装置１へのリフォーム方法について説明する。開き戸を外した後は、出入口２０周辺の壁面の改造工事をせずに、レール取付板部２と、吊設滑動部３と、引き戸４と、あおり防止用レール１３を設置すればよい。したがって、容易に設置工事ができるという効果を有する。
【００４１】
次に、本考案の引き戸装置１の使用方法について説明する。当初は、引き戸４は出入口２０の枠体内に嵌入されている状態とすると、室外にいる使用者はまず引き戸出入駆動部９のモータ―３１を駆動させるために室外側のスイッチ３５を入れる。これによって、引き戸４は出入口２０の枠体内から前後方向で移動し前記枠体内から出される。次に、引き戸４が枠体内から完全に出されたことを確認して引き戸４の取手４０を掴み引き戸４を戸尻側に移動させる。そして、使用者は出入口２０の開口部から室内側に入る。この直後から引き戸４は引き戸クローザー１５によって自動的に閉じられる。
【００４２】
引き戸４が閉じられたら、使用者は引き戸出入駆動部９のモーター３１を駆動させるために室内側のスイッチ３５を入れる。これによって、引き戸４は出入口２０の枠体内に前後方向で移動して嵌入される。
【符号の説明】
【００４３】
１      引き戸装置
２      レール取付板部
３      吊設滑動部
４      引き戸
５      スライド用レール
６      揺れ防止用ガイドレール
７      滑車
８      揺れ防止用規制具
９      引き戸出入駆動部
１０    従動体
１１    ガイド棒状体
１２    貫通穴部
１３    あおり防止用レール
１４    突起物
１５    引き戸クローザー
２０    出入口
２１    戸先側縦枠
２２    戸尻側縦枠
３０    カバー
３１    モーター
３２    ラック
３３    ピニオン
３４    ワイヤーの先端部取付部
３５    スイッチ
３６    ワイヤー
４０    取手
４１    無停電電源装置
【図１】
0003176998.tif 000003
【図２】
0003176998.tif 000004
【図３】
0003176998.tif 000005
【図４】
0003176998.tif 000006
【図５】
0003176998.tif 000007
【図６】
0003176998.tif 000008
【図７】
0003176998.tif 000009
【図８】
0003176998.tif 000010
【図９】
0003176998.tif 000011
【図１０】
0003176998.tif 000012